【手続補正書】
【提出日】平成17年11月21日(2005.11.21)
【手続補正１】
【補正対象書類名】明細書
【補正対象項目名】発明の名称
【補正方法】変更
【補正の内容】
【発明の名称】情報処理システムおよび方法、情報処理装置および方法、並びにプログラム
【手続補正２】
【補正対象書類名】明細書
【補正対象項目名】特許請求の範囲
【補正方法】変更
【補正の内容】
【特許請求の範囲】
【請求項１】  第１乃至第４の情報処理装置からなる情報処理システムにおいて、
前記第１の情報処理装置は、
第１のデータに対応した点滅パターンを発生するパターン発生手段と、
前記パターン発生手段により発生された前記点滅パターンで発光する発光手段と
を備え、
前記第２の情報処理装置は、
前記第１の情報処理装置を撮像する撮像手段と、
前記撮像手段により撮像された前記点滅パターンを解析する解析手段と、
前記解析手段の解析結果に基づいて、前記第１のデータを取得するデータ取得手段と、
前記第１のデータに基づいて、前記第３の情報処理装置に第２のデータを要求する第１の要求手段と、
前記第４の情報処理装置に対して、前記第２のデータの対価の決済処理を実行する第１の決済処理実行手段と、
前記第３の情報処理装置から送信されてくる前記第２のデータを受信する第１の受信手段と
を備え、
前記第３の情報処理装置は、
前記第２のデータを記憶する記憶手段と、
前記第２のデータの要求を受信する第２の受信手段と、
前記第２のデータの対価の決済処理を前記第２の情報処理装置に対して実行するように前記第４の情報処理装置に要求する第２の要求手段と、
前記第２のデータの対価の決済処理が完了したことを示す通知を受信する第３の受信手段と、
前記第３の受信手段により決済処理の完了を示す通知が受信されたとき、前記記憶手段に記憶された前記第２のデータを前記第２の情報処理装置に送信する送信手段と
を備え、
前記第４の情報処理装置は、
前記第３の情報処理装置からの前記第２のデータの対価の決済処理の要求を受信する第４の受信手段と、
前記第２の情報処理装置に対して前記第２のデータの対価の決済処理を実行する第２の決済処理実行手段と、
前記前記第２の決済処理実行手段による決済処理が完了したことを通知する通知手段と
を備える
ことを特徴とする情報処理システム。
【請求項２】  前記第１のデータは、前記第３の情報処理装置のURLを含む
ことを特徴とする請求項１に記載の情報処理システム。
【請求項３】  前記第１の情報処理装置は、
画像を表示する表示手段と、
前記画像に含まれる前記第１のデータを抽出する抽出手段と、
前記画像を含む放送信号を受信する第５の受信手段とをさらに備え、
前記抽出手段は、前記放送信号により受信される前記画像のブランキングエリアに含まれる前記第１のデータを抽出する
ことを特徴とする請求項１に記載の情報処理システム。
【請求項４】  第１乃至第４の情報処理装置からなる情報処理システムの情報処理方法において、
前記第１の情報処理装置の情報処理方法は、
第１のデータに対応した点滅パターンを発生するパターン発生ステップと、
前記パターン発生手段により発生された前記点滅パターンで発光する発光ステップと
を含み、
前記第２の情報処理装置の情報処理方法は、
前記第１の情報処理装置を撮像する撮像ステップと、
前記撮像ステップの処理で撮像された前記点滅パターンを解析する解析ステップと、
前記解析ステップの処理での解析結果に基づいて、前記第１のデータを取得するデータ取得ステップと、
前記第１のデータに基づいて、前記第３の情報処理装置に第２のデータを要求する第１の要求ステップと、
前記第４の情報処理装置に対して、前記第２のデータの対価の決済処理を実行する第１の決済処理実行ステップと、
前記第３の情報処理装置から送信されてくる前記第２のデータを受信する第１の受信ステップと
を含み、
前記第３の情報処理装置の情報処理方法は、
前記第２のデータを記憶する記憶ステップと、
前記第２のデータの要求を受信する第２の受信ステップと、
前記第２のデータの対価の決済処理を前記第２の情報処理装置に対して実行するように前記第４の情報処理装置に要求する第２の要求ステップと、
前記第２のデータの対価の決済処理が完了したことを示す通知を受信する第３の受信ステップと、
前記第３の受信ステップの処理で決済処理の完了を示す通知が受信されたとき、前記記憶ステップの処理で記憶された前記第２のデータを前記第２の情報処理装置に送信する送信ステップと
を含み、
前記第４の情報処理装置の情報処理方法は、
前記第３の情報処理装置からの前記第２のデータの対価の決済処理の要求を受信する第４の受信ステップと、
前記第２の情報処理装置に対して前記第２のデータの対価の決済処理を実行する第２の決済処理実行ステップと、
前記前記第２の決済処理実行ステップの処理での決済処理が完了したことを通知する通知ステップと
を含む
ことを特徴とする情報処理システムの情報処理方法。
【請求項５】  第１乃至第４の情報処理装置からなる情報処理システムの情報処理装置を制御するコンピュータのうち、
前記第１の情報処理装置のコンピュータに、
第１のデータに対応した点滅パターンを発生するパターン発生ステップを実行させ、
前記第２の情報処理装置のコンピュータに、
撮像された前記点滅パターンを解析する解析ステップと、
前記解析ステップの処理での解析結果に基づいて、前記第１のデータを取得するデータ取得ステップと、
前記第１のデータに基づいて、前記第３の情報処理装置に第２のデータを要求する第１の要求ステップと、
前記第４の情報処理装置に対して、前記第２のデータの対価の決済処理を実行する第１の決済処理実行ステップと
を実行させ、
前記第３の情報処理装置のコンピュータに、
前記第２のデータの対価の決済処理を前記第２の情報処理装置に対して実行するように前記第４の情報処理装置に要求する第２の要求ステップと、
前記第３の受信ステップの処理で決済処理の完了を示す通知が受信されたとき、前記記憶ステップの処理で記憶された前記第２のデータを前記第２の情報処理装置に送信する送信ステップと
を実行させ、
前記第４の情報処理装置のコンピュータに、
前記第２の情報処理装置に対して前記第２のデータの対価の決済処理を実行する第２の決済処理実行ステップと、
前記前記第２の決済処理実行ステップの処理での決済処理が完了したことを通知する通知ステップと
を実行させることを特徴とするプログラム。
【請求項６】  第１乃至第４の情報処理装置からなる情報処理システムにおいて、
前記第１の情報処理装置は、
自らを識別するIDを含む第１のデータに対応した点滅パターンを発生するパターン発生手段と、
前記パターン発生手段により発生された前記点滅パターンで発光する発光手段と
を備え、
前記第２の情報処理装置は、
前記第１の情報処理装置を撮像する撮像手段と、
前記撮像手段により撮像された前記点滅パターンを解析する解析手段と、
前記解析手段の解析結果に基づいて、前記第１のデータを取得するデータ取得手段と、
前記第１のデータに基づいて、そこに含まれる前記IDと共に前記第３の情報処理装置に第２のデータを要求する第１の要求手段と、
前記第３の情報処理装置から送信されてくる前記第２のデータを受信する第１の受信手段と
を備え、
前記第３の情報処理装置は、
前記IDに対応する第２のデータを記憶する記憶手段と、
前記第２のデータの要求と共に、前記IDを受信する第２の受信手段と、
前記記憶手段に記憶された、前記IDに対応する前記第２のデータを前記第２の情報処理装置に送信する送信手段と、
前記ID毎に、前記第２のデータの要求回数を記憶する回数記憶手段と、
前記要求回数に応じて決済処理を実行するように前記第４の情報処理装置に要求する第２の要求手段と
を備え、
前記第４の情報処理装置は、
前記第３の情報処理装置からの前記要求回数に応じた、前記前記第1の情報処理装置を使用する使用者の金融口座に対する決済処理の要求を受信する第２の受信手段と、
前記要求回数に応じた決済処理を実行する決済処理実行手段と
を備える
ことを特徴とする情報処理システム。
【請求項７】  前記第１のデータは、前記第３の情報処理装置のURLを含む
ことを特徴とする請求項６に記載の情報処理システム。
【請求項８】  前記第３の情報処理装置は、
前記記憶手段は、前記IDに対応して、前記所定の位置に対応する位置情報と、前記第１の情報処理装置の位置情報をさらに記憶し、
前記所定の位置に対応する位置情報と、前記第１の情報処理装置の位置情報からナビゲーション情報を生成するナビゲーション情報生成手段をさらに備え、
前記送信手段は、前記記憶手段に記憶された、前記IDに対応する前記第２のデータとして、前記ナビゲーション情報生成手段により生成されたナビゲーション情報を前記第２の情報処理装置に送信する
ことを特徴とする請求項６に記載の情報処理システム。
【請求項９】  前記第２の情報処理装置は、
位置情報取得手段をさらに備え、
前記第１の要求手段は、前記第１のデータに基づいて、そこに含まれる前記IDに加えて、前記位置情報取得手段により取得された位置情報を送信すると共に前記第３の情報処理装置に第２のデータを要求し、
前記第３の情報処理装置は、
前記所定の位置に対応する位置情報と、前記前記位置情報取得手段により取得された位置情報からナビゲーション情報を生成する前記ナビゲーション情報生成手段を備え、
前記送信手段は、前記記憶手段に記憶された、前記IDに対応する前記第２のデータとして、前記ナビゲーション情報生成手段により生成されたナビゲーション情報を前記第２の情報処理装置に送信する
ことを特徴とする請求項６に記載の情報処理システム。
【請求項１０】  第１乃至第４の情報処理装置からなる情報処理システムの情報処理方法において、
前記第１の情報処理装置の情報処理方法は、
自らを識別するIDを含む第１のデータに対応した点滅パターンを発生するパターン発生ステップと、
前記パターン発生ステップの処理で発生された前記点滅パターンで発光する発光ステップと
を含み、
前記第２の情報処理装置の情報処理方法は、
前記第１の情報処理装置を撮像する撮像ステップと、
前記撮像ステップの処理で撮像された前記点滅パターンを解析する解析ステップと、
前記解析ステップの処理での解析結果に基づいて、前記第１のデータを取得するデータ取得ステップと、
前記第１のデータに基づいて、そこに含まれる前記IDと共に前記第３の情報処理装置に第２のデータを要求する第１の要求ステップと、
前記第３の情報処理装置から送信されてくる前記第２のデータを受信する第１の受信ステップと
を含み、
前記第３の情報処理装置の情報処理方法は、
前記IDに対応する第２のデータを記憶する記憶ステップと、
前記第２のデータの要求と共に、前記IDを受信する第２の受信ステップと、
前記記憶ステップの処理で記憶された、前記IDに対応する前記第２のデータを前記第２の情報処理装置に送信する送信ステップと、
前記ID毎に、前記第２のデータの要求回数を記憶する回数記憶ステップと、
前記要求回数に応じて決済処理を実行するように前記第４の情報処理装置に要求する第２の要求ステップと
を含み、
前記第４の情報処理装置の情報処理方法は、
前記第３の情報処理装置からの前記要求回数に応じた、前記前記第1の情報処理装置を使用する使用者の金融口座に対する決済処理の要求を受信する第２の受信ステップと、
前記要求回数に応じた決済処理を実行する決済処理実行ステップと
を含む
ことを特徴とする情報処理システムの情報処理方法。
【請求項１１】  第１乃至第４の情報処理装置からなる情報処理システムを制御するコンピュータのうち、
前記第１の情報処理装置のコンピュータに、
自らを識別するIDを含む第１のデータに対応した点滅パターンを発生するパターン発生ステップを含む処理を実行させ、
前記第２の情報処理装置のコンピュータに、
撮像された前記点滅パターンを解析する解析ステップと、
前記解析ステップの処理での解析結果に基づいて、前記第１のデータを取得するデータ取得ステップと、
前記第１のデータに基づいて、そこに含まれる前記IDと共に前記第３の情報処理装置に第２のデータを要求する第１の要求ステップと
を含む処理を実行させ、
前記第３の情報処理装置のコンピュータに、
前記ID毎の、前記第２のデータの要求回数に応じて決済処理を実行するように前記第４の情報処理装置に要求する第２の要求ステップと
を含む処理を実行させ、
前記第４の情報処理装置のコンピュータに、
前記要求回数に応じた決済処理を実行する決済処理実行ステップと
を含む処理を実行させる
ことを特徴とするプログラム。
【手続補正３】
【補正対象書類名】明細書
【補正対象項目名】０００１
【補正方法】変更
【補正の内容】
【０００１】
【発明の属する技術分野】
本発明は、情報処理システムおよび方法、情報処理装置および方法、並びにプログラムに関し、特に、点滅パターンによって情報を発信することで、その光信号の位置および情報を認識することにより、環境による明るさの変化に影響されることの無い情報の取得と、取得した情報に係る対価の支払い処理を可能にした情報処理システムおよび方法、情報処理装置および方法、並びにプログラムに関する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
第１の情報処理装置には、画像を表示する表示手段と、画像に含まれる第１のデータを抽出する抽出手段と、画像を含む放送信号を受信する第５の受信手段とをさらに設けるようにさせることができ、抽出手段には、放送信号により受信される画像のブランキングエリアに含まれる第１のデータを抽出させるようにすることができる。
【手続補正７】
【補正対象書類名】明細書
【補正対象項目名】００１３
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２９
【補正方法】削除
【補正の内容】